(57)【要約】  Ｂｌｕｅｔｏｏｔｈ規格は、同一のプロファイルを使用して、例えば特定の数のデバイスのみを１つのネットワークで動作可能にする、異なるプロファイルをアプリケーションに提供する。ここで説明する装置及び方法は、Ｂｌｕｅｔｏｏｔｈ規格を変更せずに、他の無線デバイスをアドレス指定して送信されたデータを無線デバイスが受信できるようにする解決策を提供する。つまり、Ｂｌｕｅｔｏｏｔｈ通信用無線電子装置は、前記無線電子装置及びＢｌｕｅｔｏｏｔｈ通信用無線電子デバイスをアドレス指定して送信されたデータを受信する。前記無線電子デバイスは、前記無線電子デバイスをアドレス指定して送信されたデータを受信するように動作可能であり、前記無線電子装置は、前記無線電子デバイスとは異なる。これは、例えばヘッドセットに送出されたオーディオ信号を含む電磁波を選定できる手首式ディスプレイにより実現される。そして、プロパティが手首上に表示されることで、オーディオ信号の状態又はオーディオ信号を送信する携帯電話の状態がユーザに通知される。
2009519635.tif 000002
【特許請求の範囲】
【請求項１】
Ｂｌｕｅｔｏｏｔｈ通信用無線電子装置であって、
前記無線電子装置及びＢｌｕｅｔｏｏｔｈ通信用無線電子デバイスをアドレス指定して送信されたデータを受信するように動作可能であり、
前記無線電子デバイスをアドレス指定して送信されたデータを受信するように動作可能であり、前記無線電子装置は前記無線電子デバイスとは異なることを特徴とするＢｌｕｅｔｏｏｔｈ通信用無線電子装置。
【請求項２】
前記無線電子装置又は前記Ｂｌｕｅｔｏｏｔｈ通信用無線電子デバイスをアドレス指定したデータを送出するように動作可能であることを特徴とする請求項１記載のＢｌｕｅｔｏｏｔｈ通信用無線電子装置。
【請求項３】
アドレス指定されたデータを送信及び／又は受信するように動作可能な無線デバイスとの間でＢｌｕｅｔｏｏｔｈネットワークを形成するように動作可能なＢｌｕｅｔｏｏｔｈ通信用無線電子システムであって、
アドレス指定されたデータを受信及び／又は送信するように動作可能な無線電子デバイスと、
請求項１又は２に記載の無線電子装置とを具備することを特徴とするシステム。
【請求項４】
前記無線電子装置は、前記無線電子デバイスをアドレス指定して送信されたデータを受信するように動作可能であることを特徴とする請求項３記載のＢｌｕｅｔｏｏｔｈ通信用無線電子システム。
【請求項５】
前記無線電子装置は、アドレス指定されたデータを前記無線デバイスに送信及び／又は前記無線デバイスから受信するように動作可能であることを特徴とする請求項３又は４記載のＢｌｕｅｔｏｏｔｈ通信用無線電子システム。
【請求項６】
前記無線電子装置は、前記無線電子デバイスをアドレス指定したデータを送信するように動作可能であることを特徴とする請求項５記載のＢｌｕｅｔｏｏｔｈ通信用無線電子システム。
【請求項７】
前記無線電子デバイスは、前記無線デバイスをアドレス指定したデータを送信及び／又は受信するように動作可能であることを特徴とする請求項３乃至６のいずれか１項に記載のＢｌｕｅｔｏｏｔｈ通信用無線電子システム。
【請求項８】
前記無線電子デバイス及び前記無線電子装置は、データストリーム及び／又はデータパケットを処理するようにそれぞれ動作可能であることを特徴とする請求項３乃至７のいずれか１項に記載のＢｌｕｅｔｏｏｔｈ通信用無線電子システム。
【請求項９】
前記無線電子デバイス及び前記無線電子装置は離間されていることを特徴とする請求項３乃至８のいずれか１項に記載のＢｌｕｅｔｏｏｔｈ通信用無線電子システム。
【請求項１０】
前記無線電子装置には、製造中及び／又は前記ネットワーク形成中に前記無線電子デバイスのデバイスアドレスコードが提供され、
前記デバイスアドレスコードは、前記無線電子デバイスをアドレス指定して送信されたデータを受信するために利用可能であることを特徴とする請求項３乃至９のいずれか１項に記載のＢｌｕｅｔｏｏｔｈ通信用無線電子システム。
【請求項１１】
データを送信及び／又は受信するように動作可能なＢｌｕｅｔｏｏｔｈ通信用無線電子装置により無線デバイスからデータを受信する方法であって、
前記データは、データを受信するように動作可能なＢｌｕｅｔｏｏｔｈ通信用無線電子デバイスをアドレス指定して送信され、
前記無線電子装置は、前記無線電子デバイスとは異なることを特徴とする方法。
【請求項１２】
前記無線電子デバイスがアクティブＢｌｕｅｔｏｏｔｈ接続を介して前記無線デバイスに接続するように動作可能であり、それによりアドレス指定して送信されたデータの受信を可能にするアクティブデバイスアドレスが前記無線デバイスから前記無線電子デバイスに与えられる初期化ステップと、
前記無線電子装置が前記初期化ステップ以降又は前記初期化ステップ中に前記アクティブデバイスアドレスを受信する適応ステップと、
前記無線電子装置が前記無線電子デバイスに特にアドレス指定されたデータを受信する受信ステップとを含むことを特徴とする請求項１１記載のデータを受信する方法。
【発明の詳細な説明】
【技術分野】
【０００１】
本発明は、無線通信の分野に関し、特に、Ｂｌｕｅｔｏｏｔｈ通信システムにおけるマスタ／スレーブ及びスレーブ／スレーブの関係に関するものである。
【背景技術】
【０００２】
異なる電子デバイス間の無線通信のためのインタフェースであるＩｒＤＡ（赤外線データ協会）に取って代わる規格として、Ｂｌｕｅｔｏｏｔｈがある。Ｂｌｕｅｔｏｏｔｈは、８０２．１１ネットワークや、ベビーモニタ、ガレージ自動ドア、電子レンジ等の他のデバイスによって使用される無認可のＩＳＭ帯域で動作する。このため、Ｂｌｕｅｔｏｏｔｈでは干渉を回避するために周波数ホッピングスペクトラム拡散（ＦＨＳＳ）技術を使用している。Ｂｌｕｅｔｏｏｔｈチャネルは、各々の長さが６２５マイクロ秒の複数のタイムスロットに分割される。デバイスは、毎秒１６００回ホップする各タイムスロットを介してホップする。これにより、信頼性、完全性及びセキュリティの向上が実現される一方、帯域幅の効率は低下する。Ｂｌｕｅｔｏｏｔｈ無線は、２．４０２ＧＨｚ〜２．４８０ＧＨｚの７９個のチャネル（国によっては２３個のチャネル）を使用し、無認可のＩＳＭ帯域において２．４ＧＨｚで動作する。Ｂｌｕｅｔｏｏｔｈ通信の範囲は、０ｄＢｍ（１ｍＷ）の電力消費の場合、０〜３０フィート（１０メートル）である。この距離は、電力を２０ｄＢｍに増幅することにより１００メートルまで延長される。
【０００３】
Ｂｌｕｅｔｏｏｔｈは、データ送信のための非同期接続（ＡＣＬ）リンク及びオーディオ／音声送信のための同期接続（ＳＣＯ）リンクの２種類のリンクをサポートしている。非同期ＡＣＬリンクにおける効果的な最高速度は、いずれかの方向で７２１Ｋｂｐｓであり、戻る方向で５７．６Ｋｂｐｓであるが、Ｂｌｕｅｔｏｏｔｈの総データ速度は１Ｍｂｐｓである。対称ＡＣＬリンクでは、４３２．６Ｋｂｐｓのデータ速度を実現する。Ｂｌｕｅｔｏｏｔｈは、デバイス毎に最大３つの６４ＫｂｐｓＳＣＯチャネルをサポートする。それらのチャネルは、送信のための保証された帯域幅である。
【０００４】
この節では、まず、基本的な手順を説明し、その後、２つ以上のＢｌｕｅｔｏｏｔｈデバイス間における接続開始処理について説明する。デバイスは、以下のステップ（デバイスが初めてその環境に到達したか又は参加した場合の認証ステップを除く）を自動的に実行する：
問合せ：新しい環境に到達した時、デバイスはその領域内にあるアクセスポイントを見つけるために自動的に問合せを開始する。その結果、次の事象が発生する：近くの全てのアクセスポイントがアドレスにより応答し、デバイスは応答したデバイスのうち１つを選定する。
【０００５】
ページング：デバイスは、ページングと呼ばれるベースバンド手順を呼び出す。その結果、デバイスは、要求された初期化処理のうち、特に、クロックオフセット及び周波数ホップにおける位相に関して、アクセスポイントと同期する。
【０００６】
リンクの確立：リンクマネージャプロトコル（ＬＭＰ）はアクセスポイントとのリンクを確立する。アプリケーションによって、非同期接続（ＡＣＬ）リンク又は同期接続（ＳＣＯ）リンクが使用される。以下に説明するように、種々のセットアップステップが実行される。
【０００７】
サービスの発見：ＬＭＰは、アクセスポイントから利用可能なサービスを発見するためにＳＤＰ（サービス発見プロトコル）を使用する。サービスが利用可能な場合、更にアプリケーションが実行される。そのアクセスポイントにおいて提供される他のサービスに関する情報は、ユーザに提供される。
【０００８】
Ｌ２ＣＡＰ（倫理リンク管理層）チャネル：デバイスは、ＳＤＰから取得された情報を使用してアクセスポイントに対するＬ２ＣＡＰチャネルを作成する。Ｌ２ＣＡＰチャネルはアプリケーションにより直接使用されてもよいし、ＲＦＣＯＭＭのような別のプロトコルがそのチャネルを介して実行されてもよい。
【０００９】
ＲＦＣＯＭＭチャネル（ＲＦＣＯＭＭは、ＰＣ上のシリアルＣＯＭポートの無線周波数（ＲＦ）指向のエミュレーションから得られ、Ｌ２ＣＡＰチャネルを介して９ピンＲＳ２３２全シリアル通信をエミュレートする）：アプリケーションの必要性に応じて、ＲＦＣＯＭＭ又は他のチャネル（他の例の場合）がＬ２ＣＡＰチャネルを介して作成される。この特徴により、シリアルポートに対して開発された既存のアプリケーションはＢｌｕｅｔｏｏｔｈプラットフォームに対して変更を行なうことなく実行することができる。
【００１０】
セキュリティ：アクセスポイントがそのアクセスポイントへのアクセスを特定のユーザの集合に制限する場合、又は事前に登録してあるユーザにセキュリティモード通信を提供する場合、この時点で、アクセスポイントは「組合せ」に対するセキュリティ要求を送出する。これは、ユーザがサービスにアクセスするための正確なＰＩＮコードを知っている場合に正常に行なわれる。尚、ＰＩＮは無線チャネルを介して送信されることがなく、それから生成される別の鍵が使用されるため、ＰＩＮは危険にさらされにくい。セキュリティモードが使用される場合、暗号化処理が呼び出される。
【００１１】
ＰＰＰ：ＰＰＰリンクがダイヤルアップネットワーク化と同様にシリアルモデムを介して使用される場合、同一のアプリケーションがＲＦＣＯＭＭ（シリアルポートをエミュレートする）を介してＰＰＰを実行することができる。
【００１２】
ネットワークプロトコル：ＴＣＰ／ＩＰ、ＩＰＸ、Ａｐｐｌｅｔａｌｋのようなネットワークプロトコルは、リンクを介してデータを送受信することができる。
【００１３】
上記手順において、セキュリティを実現する手順においては、ユーザとの対話が必要となる。残りのステップは自動的に行なわれる。
【００１４】
今日、Ｂｌｕｅｔｏｏｔｈ対応の移動電話は、Ｂｌｕｅｔｏｏｔｈ対応のヘッドセットと組み合わせて使用される。このような使用例の場合、ＢｌｕｅｔｏｏｔｈにはＨＳＰ（ヘッドセットプロファイル）及びＨＦＰ（ハンズフリープロファイル）の２つのプロファイルが規定される。それらのプロファイルは、２つのＢｌｕｅｔｏｏｔｈ対応製品間の対話を規定する。当該プロファイル仕様は、いずれも、それぞれが独自の規則を有する２つのデバイスを使用することを制限している。
【００１５】
一方のデバイスは、ＡＧ（オーディオゲートウェイ）の機能に従って実行しており、他方のデバイスはＨＦ（ハンズフリー）の機能に従って実行している。接続中、ＨＦデバイスはオーディオデータをストリームとして受信し、通話（及び電話）状態関連情報をデータパケットとして受信する。
【００１６】
図１は、無線接続４、５を介して接続される少なくとも３つの無線デバイス１、２、３を具備する最新のＢｌｕｅｔｏｏｔｈネットワーク６の一例を示す概略図である。それら無線接続４及び５は、電磁波により確立される。ネットワークは、Ｂｌｕｅｔｏｏｔｈ通信により、又は無線デバイス及び無線接続により形成される。Ｂｌｕｅｔｏｏｔｈデバイスは、パーソナルコンピュータ（ＰＣ）、パーソナルデジタルアシスタント（ＰＤＡ）、周辺装置、携帯電話、ページャ、消費者電子機器等の携帯及び移動演算装置により実現されてもよい。
【００１７】
この例において、ネットワーク６内のＢｌｕｅｔｏｏｔｈ通信は、マスタ無線デバイス１と少なくとも２つの無線電子デバイス２及び３との間で行われる。更なるスレーブ無線デバイスが通信可能であるが、概略図においては省略してある。２つ以上の無線デバイスが１つのマスタデバイス及び１つ以上のスレーブを有することにより、上述のようなアドホックネットワークを形成するため、ネットワーク６はピコネットとも呼ばれる。ピコネット内では、同時に最大７つのアクティブスレーブが存在する。従って、ピコネット内の各アクティブデバイスは、３ビットのアクティブデバイスアドレスにより識別可能である。概略図においては不図示であるが、未接続モードの非アクティブスレーブが、ピコネット内に常駐していてもよい。マスタは、Ｂｌｕｅｔｏｏｔｈ通信リンクを開始できる唯一のデバイスである。
【００１８】
マスタ無線デバイス１は、無線接続４及び５を介してスレーブ無線２及び３との接続を形成するように動作することが可能である。特に、無線接続４及び５はそれぞれ２つのチャネルを有する。チャネル４１及び５１により、マスタ無線デバイス１から無線電子デバイス２及び３にそれぞれデータが送信される。更に他のチャネル４２及び５２により、無線電子デバイス２及び３からマスタ無線デバイス１にデータがそれぞれ送出される。つまり、無線電子デバイス２と３との間には直接的な接続が確立されておらず、互いに通信することができないことは明らかである。
【００１９】
Ｂｌｕｅｔｏｏｔｈ無線デバイスは、同一のデバイスがマスタまたはスレーブのいずれか一方または両方として動作可能であるという点において対称的である。リンクが確立されると、スレーブはマスタになるためにマスタ／スレーブ切り替えを要求してもよい。スレーブは、互いに直接対話することができない。全ての通信は、スレーブとマスタとの間で発生する。ピコネット内のスレーブは、内部クロック及び周波数ホップをマスタの内部クロック及び周波数ホップと同期させる必要がある。各ピコネットは、異なる周波数ホッピングシーケンスを使用する。無線デバイスは、時分割多重化（ＴＤＭ）を使用し、それぞれ固定の一意の４８ビットデバイスアドレス（ＢＤ＿ＡＤＤＲ）を有する。
【００２０】
米国特許出願公開第２００２／００６５０４５Ａ１号では、Ｂｌｕｔｏｏｔｈユニット間で移動通信システムから受信された情報を交換する方法が提案されている。これにより、装置は他の移動通信システム及びＢｌｕｅｔｏｏｔｈユニットとの接続を同時に確立し、データを特定の必要な形式に変換することができる。
【００２１】
更に、欧州特許第１，２２３，７１５Ａ１号公報は、高速マスタ／スレーブ切り替えを介してスレーブデバイス間のピア・トゥ・ピア通信を可能にする無線通信装置、方法及びシステムを提供することを発明の目的としている。この切り替えにより、擬似スレーブ間通信が実現される。これは、不変の周波数ホッピングシーケンス及び不変のアクティブメンバアドレスにより実現される。更に、米国特許第６，９０１，０５７Ｂ２号公報には、アドホック無線ネットワークを形成する方法に関する発明が開示されており、特に、Ｂｌｕｅｔｏｏｔｈ仕様に従って無線ネットワークを形成すること、ならびにＢｌｕｅｔｏｏｔｈ仕様に従って通信するように構成されたユニットが既存のピコネットにおいてマスタを最適に発見し且つマスタ／スレーブ切り替えを行うことなくマスタにスレーブとして接続することが開示されている。
【発明の開示】
【発明が解決しようとする課題】
【００２２】
本発明の目的は、別の無線電子デバイスに対してアドレス指定されたデータを、受信可能なＢｌｕｅｔｏｏｔｈ通信用無線電子装置を提供することである。
【００２３】
本発明の別の目的は節電することである。Ｂｌｕｅｔｏｏｔｈ通信は、他の規格と比較してエネルギー節約型の送信形態であるが、更にエネルギーを節約できる可能性がある。
【課題を解決するための手段】
【００２４】
これらの目的は、Ｂｌｕｅｔｏｏｔｈ通信用無線電子装置及びＢｌｕｅｔｏｏｔｈ通信用無線電子デバイスをアドレス指定して送信されたデータを、受信可能な前記無線電子装置により解決される。当該無線電子デバイスは、当該無線電子デバイスをアドレス指定して送信されたデータを受信するように動作可能であり、前記無線電子装置とは異なるエンティティである。無線電子デバイス及び無線電子装置は、類似する種類又は同一の種類のデバイスであってもよいし、あるいは異なる種類のデバイスであってもよい。
【００２５】
無線電子装置は、前記無線電子装置又は前記Ｂｌｕｅｔｏｏｔｈ通信用無線電子デバイスをアドレス指定したデータを送出するように動作可能であることが好ましい。
【００２６】
Ｂｌｕｅｔｏｏｔｈ通信用無線電子システムは、アドレス指定されたデータを送信及び／又は受信するように動作可能な無線デバイス間においてＢｌｕｅｔｏｏｔｈネットワークを形成するように動作可能であることが好ましい。このシステムは、アドレス指定されたデータを受信及び／又は送信するように動作可能な無線電子デバイスと上述のような無線電子装置とを具備する。
【００２７】
無線電子装置は、前記無線電子デバイスをアドレス指定して送信されたデータを、受信するように動作可能であることが好ましい。
【００２８】
無線電子装置は、アドレス指定されたデータを前記無線デバイスに送信及び／又は前記無線デバイスから受信するように動作可能であることが好ましい。
【００２９】
無線電子装置は、前記無線電子デバイスをアドレス指定したデータを送信するように動作可能であることが好ましい。
【００３０】
無線電子デバイスは、アドレス指定されたデータを前記無線デバイスに送信及び／又は前記無線デバイスから受信するように動作可能であることが好ましい。
【００３１】
無線電子デバイス及び無線電子装置は、それぞれデータストリーム及び／又はデータパケットを処理するように動作可能であるのが好ましい。
【００３２】
無線電子デバイス及び無線電子装置は離間されていることが好ましい。
【００３３】
無線電子装置には、製造時に、及び／又はネットワーク形成中に無線電子デバイスのデバイスアドレスコードが提供されることが好ましい。前記デバイスアドレスコードは、無線電子デバイスをアドレス指定して送信されたデータを受信するために利用可能である。
【００３４】
上記目的は、データを送信及び／又は受信するように動作可能な無線デバイスから、Ｂｌｕｅｔｏｏｔｈ通信用無線電子装置がデータを受信する方法によっても解決される。データは、該データを受信するように動作可能なＢｌｕｅｔｏｏｔｈ通信用無線電子デバイスをアドレス指定して送信される。更に前記無線電子装置は、前記無線電子デバイスとは異なるユニットである。
【００３５】
当該方法は、第１に、無線電子デバイスがアクティブＢｌｕｅｔｏｏｔｈ接続を介して無線デバイスと接続するように動作することで、アドレス指定されたデータの受信を可能にするアクティブデバイスアドレスが、無線デバイスから無線電子デバイスに与えられる初期化ステップを含むことが好ましい。当該方法は、第２に、無線電子装置が初期化ステップ以降又は初期化ステップ中にアクティブデバイスアドレスを受信する適応ステップを含み、最後に、無線電子装置が無線電子デバイスをアドレス指定して送信されたデータを受信する受信ステップを含む。
【００３６】
用語「無線電子デバイス」及び「無線電子装置」及び「無線デバイス」は、Ｂｌｕｅｔｏｏｔｈシステムにおいて通信するように構成された任意の種類の携帯又は非携帯通信機器を含む。携帯又は非携帯通信機器には、移動無線端末、移動電話、ページャ、通信機、電子オーガナイザ、スマートフォン、モノラルイヤホン又はステレオイヤホン、モノラルヘッドセット又はステレオヘッドセット、腕時計、携帯音楽プレーヤ等が含まれるが、それらに限定されるものではない。更に、本明細書において使用される用語「具備する」は、１つ以上の他の特徴、数字、ステップ、構成要素又はそれらの集合の存在又は追加があることを明確にする意味で使用される。
【発明を実施するための最良の形態】
【００３７】
図２は、無線電子システム７ａ、無線デバイス１、並びに無線接続４ａ及び５を具備するＢｌｕｅｔｏｏｔｈ無線ネットワーク６ａを示す概略図である。無線電子システム７ａは、無線デバイス１との接続を形成するように動作可能な、無線電子デバイス２と本発明の一実施形態である無線電子装置３ａとを具備する。無線電子デバイス２及び無線電子装置３ａは、それぞれデータを処理及び／又は出力し、電磁波により確立される無線接続４ａ及び５を介して無線デバイス１と接続するように動作可能である。
【００３８】
無線電子デバイス２及び無線電子装置３ａは離間されており、ネットワーク６ａはＢｌｕｅｔｏｏｔｈデバイス及び接続に限定されず、当業者に周知の任意の送信規格であってもよい。無線デバイス１は、無線電子デバイス２及び無線電子装置３ａに特にアドレス指定されたデータを送信し且つ／又はそれらからデータを受信するように動作可能である。無線接続４ａは、チャネル４１、４２及び４３を含む。チャネル４１は、無線電子デバイス２から無線デバイス１にデータを送出するように動作可能であり、チャネル４２及び４３は、無線デバイス１から無線電子デバイス２及び３ａにデータを送出するようにそれぞれ動作可能である。チャネル４２及び４３は同一情報を搬送する。無線接続５は、チャネル５１及び５２を含む。チャネル５１は、無線電子装置３ａから無線デバイス１にデータを送出するように動作可能であり、チャネル５２は、無線デバイス１から無線電子装置３ａにデータを送出するように動作可能である。全てのチャネルは、データを含む電磁波を送信及び／又は受信することにより実現される。
【００３９】
図１に説明する最新技術によると、通常、無線電子デバイスは２つのチャネルのみを具備し、他にチャネルを具備しない。それら２つのチャネルのうち一方のチャネルはデータの受信用に動作可能であり、他方のチャネルは送信用に動作可能である。本実施形態において、無線電子装置３ａは、チャネル５１を介してデータを送出し且つチャネル４３及び／又は５２を介してデータを受信するように動作可能である。無線電子デバイス２は、チャネル４１を介してデータを送出し且つチャネル４２を介してデータを受信するように動作可能である。受信用の無線電子装置３ａの第２のチャネル４３は、例えば他の無線電子デバイス２のデバイスアドレスコードを含むデータをフィルタリングすることにより実現される。例えば、無線電子デバイス２のデバイスアドレスコードは、一意の４８ビットデバイスアドレス（ＢＤ＿ＡＤＤＲ）を登録する製造中において、及び／又は図４及び図５において後述する無線デバイス１と無線電子デバイス２との間の新しい無線接続の確立に不可欠なデータの受信中において、無線電子装置３ａにセットアップされる。実施形態は、無線電子装置３ａが無線電子デバイス２のデータを受信可能にするのは、それら２つの方法に限定されない。アドレス指定されたデータへのアクセス権を与えるように動作可能な任意のデータを使用してもよい。無線電子デバイス２に送出されるデータ、並びに無線電子デバイスにより受信及び処理されるデータは、無線電子デバイス２にアドレス指定されるが、無線電子装置３ａによっても受信及び処理される。更に無線電子装置３ａは、無線電子デバイス２に向けられたデータを受信することを制限するものではなく、無線電子デバイス２としての役割を果たすチャネル５１を介してデータを送出するように動作することも可能である。従って、音量増加コマンド、終話コマンド等のコマンドは、無線電子装置３ａからチャネル５１を介して送出され、無線電子デバイス２を制御する。無線電子デバイス２がオーディオデータストリームに限定されず、ビデオデータストリーム及び当業者に周知の他のデータを再生できることはいうまでもない。更に無線デバイス１は、無線電子デバイス２及び無線電子装置３ａの双方に対するマスタとして設定される。更に、無線電子デバイス２はオーディオデータ又はビデオデータ等のデータストリームを処理するように動作可能であり、電子装置３ａはデータを処理してデータストリームのプロパティ及び状態データを抽出するように動作可能である。しかし、当業者には、双方のデバイスがそのような処理形式に限定されないことが当然に理解されよう。
【００４０】
図３は、無線電子システム７ｂ、無線デバイス１及び無線接続４ａを具備するＢｌｕｅｔｏｏｔｈ通信ネットワーク６ｂを示す概略図である。無線電子システム７ｂは、無線デバイス１との接続を形成するように動作可能であり、無線電子デバイス２及び本発明の別の実施形態である無線電子装置３ｂを具備する。無線電子デバイス２及び無線電子装置３ｂは、それぞれデータを処理及び／又は出力し、電磁波により確立される無線接続４ａを介して無線デバイス１と接続するように動作可能である。図示される全てのデバイス、接続及びチャネルは、図２で説明したものと同様である。無線電子装置３ｂはセットアップされ、図２で説明された方法と同様の方法で無線電子デバイス２に向けられたデータを受信するように動作可能である。エネルギーを節約するため、及びＢｌｕｅｔｏｏｔｈアクティブスレーブの場所を節約するために、無線電子装置３ｂと無線デバイス１との間のアクティブ接続は確立されない。
【００４１】
図４は、無線デバイス５１１、無線電子デバイス５１２及び本発明の一実施形態である無線電子装置５１３の間のＢｌｕｅｔｏｏｔｈ通信ネットワークの初期化セットアップシーケンスの一例を示す図である。全てのデバイスは、図２又は図３の一方で説明したデバイスと同一であり且つそれらのデバイスに対応している。
【００４２】
当該ネットワークは、１つのマスタ無線デバイス５１１と、特に無線電子デバイスである１つのメインスレーブデバイス５１２及び無線電子装置である１つのサブスレーブデバイス５１３の２つのスレーブデバイスとを具備する。メインスレーブデバイス５１２は無線電子デバイス２と同一であり、サブスレーブデバイス５１３は無線電子装置３ａ又は３ｂと同一である。
【００４３】
初期化ステップ５０１において、図２又は図３のチャネル４１及び４２により提供される無線接続は、マスタ無線デバイス５１１とメインスレーブデバイス５１２との間に確立され、周波数ホッピングシーケンス、クロックオフセット及びデバイスアドレス等の一般的かつ必要な全てのパラメータが交換される。それにより、マスタ無線デバイス５１１はマスタとして設定され、それに対応してメインスレーブデバイス５１２はマスタ無線デバイスのスレーブとして設定される。ステップ５０１以降及び／又はステップ５０１の間、適応ステップ５０２が処理され、マスタ無線デバイス５１１及び／又はメインスレーブデバイス５１２により与えられる全ての必要なデータがサブスレーブデバイス５１３に提供され、サブスレーブデバイス５１３はメインスレーブデバイス５１２に向けられたデータをフィルタリングし且つ処理するように動作する。このデータは、図２又は図３のチャネル４３により提供される。オプションとして、サブスレーブデバイス５１３は、ステップ５０６で後述するようにメインスレーブデバイス５１２としての役割を果たすように動作可能である。
【００４４】
ステップ５０３において、図２のチャネル５１及び５２により提供される無線接続は、マスタ無線デバイス５１１とサブスレーブデバイス５１３との間に確立され、周波数ホッピングシーケンス、クロックオフセット及びデバイスアドレス等の一般的かつ必要な全てのパラメータが交換される。それにより、マスタ無線デバイス５１１はサブスレーブデバイス５１３のマスタとして設定され、それに対応してサブスレーブデバイス５１３はマスタ無線デバイス５１１のスレーブとして設定される。ステップ５０３の後、ネットワークは図２で説明したように確立される。
【００４５】
受信ステップ５０４において、メインスレーブデバイス５１２に向けられたデータストリーム及び／又はコマンド等のデータはマスタ無線デバイス５１１により送出される。このデータは、メインスレーブデバイス５１２及びサブスレーブデバイス５１３の双方において同時に受信される。メインスレーブデバイス５１２は、例えばオーディオ信号等のストリームを含むデータを処理することが好ましい。サブスレーブデバイス５１３は、例えばストリームのプロパティ等のパケット、並びに／あるいは携帯電話及び／又は無線状態等のマスタ無線デバイス５１１状態情報を含むデータの一部を処理する。
【００４６】
その後、メインスレーブデバイス５１２はステップ５０５における情報の受信を確認する。別の例では、メインスレーブデバイス５１２の代わりに、サブスレーブデバイス５１３が上述のようにメインスレーブデバイス５１２としての役割を果たすことによりステップ５０６の受信を確認する。
【００４７】
上述の図３の場合、ネットワーク６ｂにはチャネル４１、４２及び４３のみが含まれるため、ステップ５０３及びステップ５０６の処理は実行されない。
【００４８】
図５は、無線デバイス６１１と、無線電子デバイス６１２及び本発明の一実施形態の無線電子装置との間のＢｌｕｅｔｏｏｔｈ通信ネットワークの初期化セットアップシーケンスの別の例を示す図である。全てのデバイスは、図２又は図３の一方において説明されたデバイスと同様である。
【００４９】
このネットワークは、１つのマスタ無線デバイス６１１と、特に無線電子デバイスである１つのメインスレーブデバイス６１２及び無線電子装置である１つのサブスレーブデバイス６１３の２つのスレーブデバイスとを具備する。メインスレーブデバイス６１２は無線電子デバイス２と同一であり、サブスレーブデバイス６１３は無線電子装置３ａ又は３ｂと同一である。
【００５０】
ステップ６０１において、図２のチャネル５１及び５２により提供される無線接続は、マスタ無線デバイス６１１とサブスレーブデバイス６１３との間において確立され、周波数ホッピングシーケンス、クロックオフセット及びデバイスアドレス等の一般的かつ必要な全てのパラメータが交換される。それにより、マスタ無線デバイス６１１はマスタとして設定され、それに対応してサブスレーブデバイス６１３はマスタ無線デバイス６１１のスレーブとして設定される。
【００５１】
初期化ステップ６０２において、図２のチャネル４１及び４２により提供される無線接続は、マスタ無線デバイス６１１とメインスレーブデバイス６１２との間において確立され、周波数ホッピングシーケンス、クロックオフセット及びデバイスアドレス等の一般的かつ必要な全てのパラメータが交換される。それにより、マスタ無線デバイス６１１はメインスレーブデバイス６１２のマスタとして設定され、それに対応してメインスレーブデバイス６１２はマスタ無線デバイス６１１のスレーブとして設定される。ステップ６０２以降及び／又はステップ６０２の間、適応ステップ６０３が処理され、マスタ無線デバイス６１１及び／又はメインスレーブデバイス６１２により与えられる全ての必要なデータがサブスレーブデバイス６１３に提供され、サブスレーブデバイス６１３はメインスレーブデバイス６１２に向けられたデータをフィルタリングし且つ処理するように動作する。このデータは、図２又は図３のチャネル４３により提供される。オプションとして、サブスレーブデバイス６１３は、ステップ６０６で後述するようにメインスレーブデバイス６１２としての役割を果たすように動作可能である。ステップ６０３の後、ネットワークは図２で説明したように確立される。
【００５２】
受信ステップ６０４において、メインスレーブデバイス６１２に向けられたデータストリーム及び／又はコマンド等のデータはマスタ無線デバイス６１１により送出される。このデータは、メインスレーブデバイス６１２及びサブスレーブデバイス６１３の双方において受信される。メインスレーブデバイス６１２は、例えばオーディオ信号等のストリームを含むデータを処理することが好ましい。サブスレーブデバイス６１３は、例えばストリームのプロパティ等のパケット、あるいは携帯電話及び／又は無線状態等の他のマスタ無線デバイス６１１状態情報を含むデータを処理する。
【００５３】
その後、メインスレーブデバイス６１２はステップ６０５における情報の受信を確認する。あるいは、メインスレーブデバイス６１２の代わりに、サブスレーブデバイス６１３が上述のようにメインスレーブデバイス６１２としての役割を果たすことによりステップ６０６の受信を確認する。
【００５４】
上述の図３の場合、ネットワーク６ｂにはチャネル４１、４２及び４３のみが含まれるため、ステップ６０１及びステップ６０６の処理は実行されない。
【００５５】
図６は、無線デバイスの構成の一例を示す図である。図中、携帯電話１ａは、ヘッドセットデバイス２ｂ及び手首式表示装置３ｄを含む本発明の別の実施形態７ｄとの間で電磁波８を介したＢｌｕｅｔｏｏｔｈ通信ネットワークを形成する。携帯電話１ａはオーディオ信号を送信するように動作可能であり、ヘッドセットデバイス２ｂはオーディオ信号を出力するように動作可能であり、手首式表示装置３ｄはオーディオ信号及び／又は携帯電話１ａの状態情報に関するプロパティ及び／又は情報を表示するように動作可能である。それらの情報は、オーディオ信号及び状態情報に限定されない。
【００５６】
図２〜図６の１つにおいて説明したように、携帯電話１ａは、マスタ無線デバイスと同一であり、ヘッドセットデバイス２ｂ及び手首式表示装置３ｄは、メインスレーブデバイス及びサブスレーブデバイスとそれぞれ同一である。
【図面の簡単な説明】
【００５７】
【図１】最新のネットワークの一例を示す概略図である。
【図２】本発明の一実施形態を含む通信ネットワークを示す概略図である。
【図３】本発明の別の実施形態を含む別の通信ネットワークを示す概略図である。
【図４】本発明の一実施形態と無線デバイスとの間の通信ネットワークの初期化セットアップシーケンスの一例を示す図である。
【図５】本発明の別の実施形態と無線デバイスとの間の通信ネットワークの初期化セットアップシーケンスの別の例を示す図である。
【図６】無線デバイスの構成の一例を示し、手首式ディスプレイを含む本発明の別の実施形態、ヘッドセット及び携帯電話を示す図である。
【図１】
2009519635.tif 000003
【図２】
2009519635.tif 000004
【図３】
2009519635.tif 000005
【図４】
2009519635.tif 000006
【図５】
2009519635.tif 000007
【図６】
2009519635.tif 000008
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
Ｂｌｕｅｔｏｏｔｈ通信用無線電子装置であって、
前記無線電子装置及びＢｌｕｅｔｏｏｔｈ通信用無線電子デバイスをアドレス指定して送信されたデータを受信するように動作可能であり、
前記無線電子デバイスをアドレス指定して送信されたデータを受信するように動作可能であり、
前記無線電子デバイスをアドレス指定したデータを送信するように動作可能であることを特徴とし、
前記無線電子装置には、前記無線電子デバイスのデバイスアドレスコードが提供され、該デバイスアドレスコードは、前記無線電子デバイスをアドレス指定して送信されたデータを受信するために利用可能であり、
前記無線電子装置は前記無線電子デバイスとは異なることを特徴とするＢｌｕｅｔｏｏｔｈ通信用無線電子装置。
【請求項２】
前記無線電子装置又は前記Ｂｌｕｅｔｏｏｔｈ通信用無線電子デバイスをアドレス指定したデータを送出するように動作可能であることを特徴とする請求項１記載のＢｌｕｅｔｏｏｔｈ通信用無線電子装置。
【請求項３】
アドレス指定されたデータを送信及び／又は受信するように動作可能な無線デバイスとの間でＢｌｕｅｔｏｏｔｈネットワークを形成するように動作可能なＢｌｕｅｔｏｏｔｈ通信用無線電子システムであって、
アドレス指定されたデータを受信及び／又は送信するように動作可能な無線電子デバイスと、
請求項１又は２に記載の無線電子装置とを具備することを特徴とするシステム。
【請求項４】
前記無線電子装置は、アドレス指定されたデータを前記無線デバイスに送信及び／又は前記無線デバイスから受信するように動作可能であることを特徴とする請求項３記載のＢｌｕｅｔｏｏｔｈ通信用無線電子システム。
【請求項５】
前記無線電子デバイスは、前記無線デバイスをアドレス指定したデータを送信及び／又は受信するように動作可能であることを特徴とする請求項３または４に記載のＢｌｕｅｔｏｏｔｈ通信用無線電子システム。
【請求項６】
前記無線電子デバイス及び前記無線電子装置は、データストリーム及び／又はデータパケットを処理するようにそれぞれ動作可能であることを特徴とする請求項３乃至５のいずれか１項に記載のＢｌｕｅｔｏｏｔｈ通信用無線電子システム。
【請求項７】
前記無線電子デバイス及び前記無線電子装置は離間されていることを特徴とする請求項３乃至６のいずれか１項に記載のＢｌｕｅｔｏｏｔｈ通信用無線電子システム。
【請求項８】
前記無線電子装置には、製造中及び／又は前記ネットワーク形成中に前記無線電子デバイスのデバイスアドレスコードが提供されることを特徴とする請求項３乃至７のいずれか１項に記載のＢｌｕｅｔｏｏｔｈ通信用無線電子システム。
【国際調査報告】
2009519635.tif 000009
2009519635.tif 000010